(57)【要約】【課題】体勢を変えることなく、指針値が読み取り容易な縦型指示計を提供する。【解決手段】縦型指示計１０は、指示計本体１と目盛板２ａを有する回動体２を備える。指示計本体１は、縦長のパネル１ａをフレーム１ｆの前面に配置する。回動体２は、フレーム１ｆの内部に回動中心が保持されている。目盛板２ａは、この回動中心から所定半径の帯状の円弧面で形成されている。パネル１ａは、目盛板２ａの一部が表示される長方形の窓１ｗを有する。カバー１ｂは、目盛板２ａに表示された目盛線に近接し、窓１ｗに表示された指針１ｃを有する。パネル１ａは、窓１ｗの下方に指針１ｃを表示する。縦型指示計１０は、視線が上方となる位置にパネル１ａを監視盤に配置することにより、従来のように背伸びしてその指針値を読み取る必要が無くなる。縦型指示計１０は、体勢を変えることなく、指針値を読み取ることができ、便利である。【選択図】図１
2011180075.tif 000002
【特許請求の範囲】
【請求項１】
縦長のパネルを前面に配置する指示計本体と、
この指示計本体の内部に回動中心が保持され、この回動中心から所定半径の帯状の円弧面で形成された目盛板を有する回動体と、を備え、
前記パネルは、
前記目盛板の一部が表示される長方形の窓と、
前記目盛板に表示された目盛線に近接し、前記窓に表示された指針と、を有する縦型指示計。
【請求項２】
前記パネルは、前記窓の下方に前記指針を表示している請求項１記載の縦型指示計。
【請求項３】
前記パネルは、前記窓の上方に前記指針を表示している請求項１記載の縦型指示計。
【請求項４】
前記パネルは、前記窓の中間に前記指針を表示している請求項１記載の縦型指示計。
【発明の詳細な説明】
【技術分野】
【０００１】
本発明は、縦型指示計に関する。特に、帯状に延びる目盛面が縦方向に配置されるアナログ式の電気指示計の構造に関する。
【背景技術】
【０００２】
アナログ式の電気指示計は、電気信号で得られた計測値を指針によって直接表示する。デジタル式の電気指示計は、離散する計測値を瞬時に表示できる利点がある。一方、アナログ式の電気指示計は、連続する計測値の変動を瞬間的・直感的に把握し易いという利点がある。このため、発電所などでは、運転状況（プロセス）を的確に監視するアナログ式の電気指示計が多用されている。
【０００３】
縦型のアナログ式の電気指示計（以下、縦型指示計という）は、一般に、奥行き方向に実装スペースを必要とするが、監視盤のパネルへの取り付け面積が小さいので、多数の電気指示計を集中監視盤のパネルに配置する場合などに適している。
【０００４】
このような縦型指示計としては、入力された信号の値に対応して目盛板に沿って移動する指針と、入力された信号の値が所定の値を超えたときに警報信号を出力する異常検出手段と、この異常検出手段からの警報信号により点灯する異常表示手段と、を備える縦型指示計が開示されている（例えば、特許文献１参照）。
【先行技術文献】
【特許文献】
【０００５】
【特許文献１】特開平１−１３６４１６号公報
【発明の概要】
【発明が解決しようとする課題】
【０００６】
特許文献１による縦型指示計にも開示されているように、電気信号による計測に対応して、指針を可動させ、指針の可動範囲内に縦長の目盛板を固定している。そして、指針が停止する位置の目盛値から計測値を読み取ることができる。
【０００７】
しかし、従来の縦型指示計は、指針の基端部が回動軸に固定され、回動軸を支点として、指針の先端部が所定半径の円弧を描くように移動する。又、目盛板は、指針の先端部に近接すべく、所定半径の円弧面を有する帯板状に形成されている。
【０００８】
したがって、固定されたパネル（監視盤）の下方（視線より下方）に配置された縦型指示計は、目盛板の凸面に遮られて、目盛板の下方に偏在する指針の位置を認識することが困難であった。一方、固定されたパネル（監視盤）の上方（視線より上方）に配置された縦型指示計は、目盛板の凸面に遮られて、目盛板の上方に偏在する指針の位置を認識することが困難であった。
【０００９】
このため、監視盤の下方に配置された縦型指示計は、例えば、しゃがみ込んで、その指針値を読み取り、一方、監視盤の上方に配置された縦型指示計は、背伸びしてその指針値を読み取るなど、監視盤への配置によって、体勢を変える必要があり、不便であった。
【００１０】
本発明は、このような課題に鑑みてなされたものであり、体勢を変えることなく、指針値が読み取り容易な縦型指示計を提供することを目的とする。
【課題を解決するための手段】
【００１１】
本発明者は、縦型指示計の指針を固定し、目盛板を電気信号に対応して可動することにより、この課題が解決可能なことを見出し、これに基づいて、以下のような新たな縦型指示計を発明するに至った。
【００１２】
（１）本発明による縦型指示計は、縦長のパネルを前面に配置する指示計本体と、この指示計本体の内部に回動中心が保持され、この回動中心から所定半径の帯状の円弧面で形成された目盛板を有する回動体と、を備え、前記パネルは、前記目盛板の一部が表示される長方形の窓と、前記目盛板に表示された目盛線に近接し、前記窓に表示された指針と、を有する。
【００１３】
（２）前記パネルは、前記窓の下方に前記指針を表示していてもよい。
【００１４】
（３）前記パネルは、前記窓の上方に前記指針を表示していてもよい。
【００１５】
（４）前記パネルは、前記窓の中間に前記指針を表示していてもよい。
【発明の効果】
【００１６】
本発明による縦型指示計は、回動する目盛板とパネルに固定表示された指針を備えるので、指針が見やすい位置になるように、縦型指示計を監視盤に配置することにより、体勢を変えることなく、指針値を容易に読み取ることができる。
【図面の簡単な説明】
【００１７】
【図１】本発明の第１実施形態による縦型指示計の構成を示す斜視分解組立図である。
【図２】第１実施形態による縦型指示計の縦断面図である。
【図３】図２のＸ−Ｘ矢視断面図である。
【図４】第１実施形態による縦型指示計の正面図である。
【図５】本発明の第２実施形態による縦型指示計の正面図である。
【図６】本発明の第３実施形態による縦型指示計の正面図である。
【発明を実施するための形態】
【００１８】
以下、図面を参照して本発明を実施するための形態を説明する。
［第１実施形態］
（第１実施形態の構成）
最初に、本発明の第１実施形態による縦型指示計の構成を説明する。図１は、本発明の第１実施形態による縦型指示計の構成を示す斜視分解組立図である。図２は、第１実施形態による縦型指示計の縦断面図である。図３は、図２のＸ−Ｘ矢視断面図である。図４は、第１実施形態による縦型指示計の正面図である。
【００１９】
図１から図４を参照すると、本発明の第１実施形態による縦型指示計１０は、可動コイル形の指示計器を示している。縦型指示計１０は、指示計本体１と目盛板２ａを有する回動体２を備えている。指示計本体１は、縦長のパネル１ａと直方体状のフレーム１ｆで構成されている。パネル１ａは、フレーム１ｆの前面に配置されている。回動体２は、指示計本体１のフレーム１ｆの内部に回動中心が保持されている。又、目盛板２ａは、この回動中心から所定半径の帯状の円弧面で形成されている。
【００２０】
図１から図４を参照すると、パネル１ａは、目盛板２ａの一部が表示される長方形の窓１ｗを有している。窓１ｗには、円弧部が突出した透明なカバー１ｂを取り付けている。カバー１ｂには、目盛板２ａに表示された目盛線に近接し、窓１ｗの長辺側に沿って表示された指針１ｃを有している。目盛線は、窓１ｗの短辺と略平行に表示されている。第１実施形態による縦型指示計１０のパネル１ａは、窓１ｗの下方に指針１ｃを表示している。実体として、指針１ｃは、カバー１ｂの外面又は内面に印刷されている。
【００２１】
図１から図３を参照すると、回動体２は、円柱状のコア（鉄心）２ｂ、可動コイル２ｃ、及び回動軸２ｄを備えている。コア２ｂには、その軸中心を横断するように、可動コイル２ｃが巻回されている。回動軸２ｄは、コア２ｂの中心に固定されている。回動軸２ｄの両端部は、コア２ｂから突出して、それらの終端が円錐状に形成されている。目盛板２ａ、コア２ｂ、可動コイル２ｃ、及び回動軸２ｄは、一体となって回動できる。
【００２２】
図１から図３を参照すると、指示計本体１は、可動コイル２ｃが回動できるように、コア２ｂを囲う一対の磁極片３ａ・３ｂを備えている。又、指示計本体１は、一対の磁極片３ａ・３ｂが固定された永久磁石３ｃを備えている。磁極片３ａと磁極片３ｂは、極性が異なっている。永久磁石３ｃは、フレーム１ｆに絶縁支持されている。
【００２３】
図３を参照すると、一対の磁極片３ａ・３ｂには、一組の支柱３ｄ・３ｄを相反する向きにそれぞれ立設している。そして、一方のピポット軸受３ｅが４本の支柱３ｄに取り付けられている。又、他方のピポット軸受３ｅが４本の支柱３ｄに取り付けられている。これらのピポット軸受３ｅ・３ｅは、回動軸２ｄを回動可能に両端支持している。更に、回動軸２ｄの両端部には、一対の復帰ばね３ｆ・３ｇを取り付けている。
【００２４】
図１から図３を参照すると、縦型指示計１０は、永久磁石３ｃで発生した磁界中に可動コイル２ｃを配置している。そして、回動軸２ｄを介して、可動コイル２ｃに電流（測定電流）が流れると、一対の復帰ばね３ｆ・３ｇに抗して、可動コイル２ｃに駆動トルクが生じる。つまり、目盛板２ａを第１の方向Ｌ１に回動できる。一方、可動コイル２ｃに流れる電流値が減少すると、一対の復帰ばね３ｆ・３ｇの作用で、目盛板２ａを第２の方向Ｌ２に回動できる。
【００２５】
（第１実施形態の作用）
次に、第１実施形態による縦型指示計１０の作用及び効果を説明する。図１から図４を参照すると、縦型指示計１０は、指針１ｃと目盛板２ａとの相対位置によって、測定対象物の数値変動を確認（監視）できる。発電所などでは、このような測定対象物は、流水管の圧力、タンクの水位、ポンプの流量などが挙げられる。
【００２６】
従来の縦型指示計は、目盛板が固定され、指針が回動するように構成されていた。一方、図４を参照すると、第１実施形態による縦型指示計１０は、指針１ｃが固定され、目盛板２ａが回動するように構成している。そして、パネル１ａは、窓１ｗの下方に指針１ｃを表示している。
【００２７】
第１実施形態による縦型指示計１０は、視線が上方となる位置に縦型指示計１０（パネル１ａ）を監視盤に配置することにより、従来のように背伸びしてその指針値を読み取る必要が無くなる。第１実施形態による縦型指示計１０は、体勢を変えることなく、指針値を読み取ることができ、便利である。
【００２８】
［第２実施形態］
次に、本発明の第２実施形態による縦型指示計の構成及び作用を説明する。図５は、本発明の第２実施形態による縦型指示計の正面図である。
【００２９】
図５を参照すると、第２実施形態による縦型指示計２０は、第１実施形態による縦型指示計１０と構成を同じにしているが、窓１ｗの上方に指針１ｃを表示している点が異なっている。又、縦型指示計２０は、窓１ｗに対する目盛板２ａの初期設定角度が縦型指示計１０と異なっている。
【００３０】
図５を参照すると、縦型指示計２０は、測定対象物の測定値が増加すると、目盛板２ａが第１の方向Ｌ１に回動する。一方、縦型指示計２０は、測定対象物の測定値が減少すると、目盛板２ａが第２の方向Ｌ２に回動する。
【００３１】
第２実施形態による縦型指示計２０は、視線が下方となる位置に縦型指示計２０（パネル１ａ）を監視盤に配置することにより、従来のようにしゃがみ込んでその指針値を読み取る必要が無くなる。第２実施形態による縦型指示計２０は、体勢を変えることなく、指針値を読み取ることができ、便利である。
【００３２】
［第３実施形態］
次に、本発明の第３実施形態による縦型指示計の構成及び作用を説明する。図６は、本発明の第３実施形態による縦型指示計の正面図である。
【００３３】
図６を参照すると、第３実施形態による縦型指示計３０は、第１実施形態による縦型指示計１０と構成を同じにしているが、窓１ｗの中間に指針１ｃを表示している点が異なっている。又、縦型指示計３０は、窓１ｗに対する目盛板２ａの初期設定角度が縦型指示計１０及び縦型指示計２０と異なっている。
【００３４】
更に、縦型指示計３０は、目盛板２ａの数値表示が縦型指示計１０及び縦型指示計２０と異なっている。縦型指示計１０及び縦型指示計２０は、目盛板２ａの数値表示が「零」を下端として一方の方向に増加している。一方、縦型指示計３０は、目盛板２ａの数値表示が「零」を中心としてプラス方向とマイナス方向にそれぞれ増加している。縦型指示計３０は、いわゆる、両振れ形の指示計器となっている。
【００３５】
図６を参照すると、縦型指示計３０は、測定対象物の測定値がプラス方向に増加すると、目盛板２ａが第１の方向Ｌ１に回動する。一方、縦型指示計３０は、測定対象物の測定値がマイナス方向に増加すると、目盛板２ａが第２の方向Ｌ２に回動する。
【００３６】
第３実施形態による縦型指示計３０は、視線が正面となる位置に縦型指示計３０（パネル１ａ）を監視盤に配置することにより、従来のようにしゃがみ込んで、又は背伸びしてその指針値を読み取る必要が無くなる。第３実施形態による縦型指示計３０は、体勢を変えることなく、指針値を読み取ることができ、便利である。
【００３７】
本発明の第１から第３実施形態による縦型指示計１０・２０・３０は、回動する目盛板２ａとパネル１ａに固定表示された指針を備えるので、指針１ｃが見やすい位置になるように、これらの縦型指示計１０・２０・３０を監視盤に配置することにより、体勢を変えることなく、指針値を容易に読み取ることができる。
【００３８】
実施形態による縦型指示計は、感度が高く、消費電流が小さいことを特徴とする、可動コイル形の指示計器を開示したが、本発明による縦型指示計は、交流専用である誘導形の指示計器にも応用できる。
【符号の説明】
【００３９】
１  指示計本体
１ａ  パネル
１ｃ  指針
１ｗ  窓
２  回動体
２ａ  目盛板
１０・２０・３０  縦型指示計
【図１】
2011180075.tif 000003
【図２】
2011180075.tif 000004
【図３】
2011180075.tif 000005
【図４】
2011180075.tif 000006
【図５】
2011180075.tif 000007
【図６】
2011180075.tif 000008